(57)【要約】【課題】爽快な気分で楽しく掃除ができる電気掃除機を提供する。【解決手段】吸引風を発する電動送風機２５を内蔵した本体１と、塵埃を捕集する集塵部５と、空気中の酸素の濃度を高める酸素富化手段２７とを備えた電気掃除機で、掃除中には室内の空気が汚れがちになるが、その際に電気掃除機より酸素濃度の高い空気が放出されることで、快適に掃除ができる。また、酸素濃度の高い酸素富化空気を直接使用者が吸えることもでき、より快適に掃除作業ができる。【選択図】  図２
2004313236.tif 000002
【特許請求の範囲】
【請求項１】
吸引風を発する電動送風機を内蔵した本体と、塵埃を捕集する集塵部と、空気中の酸素の濃度を高める酸素富化手段とを備えた電気掃除機。
【請求項２】
酸素富化手段の下流側を負圧にして、前記酸素富化手段に外気を通過させるようにした請求項１記載の電気掃除機。
【請求項３】
酸素富化手段の下流側と電動送風機の吸引側とを連通させて、酸素富化手段の下流側を負圧にするようにした請求項２記載の電気掃除機。
【請求項４】
酸素富化手段で得られた酸素富化空気を使用者に供給する供給手段を備えた請求項１または２記載の電気掃除機。
【請求項５】
供給手段は、酸素富化空気を吐出する吐出口と、前記酸素富化手段を介して酸素富化空気を取り出し前記吐出口に送り出す吐出手段と、前記酸素富化手段と前記吐出手段と連通する連結体とで形成され、酸素富化空気を吐出する吐出口の開口面積を前記連結体の断面積より小さくした請求項４記載の電気掃除機。
【請求項６】
供給手段は、酸素富化空気を吐出する吐出口と、本体に内蔵され酸素富化手段を介して酸素富化空気を取り出し前記吐出口に送り出す吐出手段と、前記吐出口と前記吐出手段と連通する連結体とで形成され、前記連結体の一部を本体外郭表面近傍で着脱自在に構成した請求項４記載の電気掃除機。
【請求項７】
供給手段は、酸素富化空気を吐出する吐出口と、本体外に位置し酸素富化手段を介して酸素富化空気を取り出し前記吐出口に送り出す吐出手段と、前記酸素富化手段と前記吐出手段と連通する連結体とで形成され、前記連結体の一部を本体外郭表面近傍で着脱自在に構成した請求項４記載の電気掃除機。
【請求項８】
集塵部に連通するとともにホースの一端が接続される吸入口と、前記ホースの他端に取着された手元部と、前記手元部に一端が着脱自在に接続される延長管と、前記延長管の他端に接続されるとともに被掃除面の塵埃を吸引する吸込具とを備えた請求項１〜７のいずれか１項に記載の電気掃除機。
【請求項９】
本体を使用者に装着する装着手段を備えた請求項１〜７のいずれか１項に記載の電気掃除機。
【請求項１０】
本体の下部に傾動自在に取着され、被掃除面の塵埃を吸引する吸込具を備えた請求項１〜７のいずれか１項記載の電気掃除機。
【請求項１１】
酸素富化手段を手元部に内蔵した請求項８記載の電気掃除機。
【請求項１２】
酸素富化手段を吸込具に内蔵した請求項８〜１０のいずれか１項に記載の電気掃除機。
【請求項１３】
酸素富化手段を本体に内蔵した請求項８〜１０のいずれか１項に記載の電気掃除機。
【発明の詳細な説明】
【０００１】
【発明の属する技術分野】
本発明は、一般家庭、ホテル、商店等で使用される電気掃除機に関するものである。
【０００２】
【従来の技術】
電気掃除機は、ほうきによる掃除と異なり、埃を舞い上げることがなく、しかも細かいゴミまで吸引し、それを掃除機本体に取り付けられたゴミ袋内に捕集するようになっているので、非常に衛生的で、しかもゴミ捨ても楽なので、掃除用具としては不可欠なものである（例えば、特許文献１参照）。
【０００３】
【特許文献１】
特開２００３−０１９０９１号公報
【０００４】
【発明が解決しようとする課題】
しかしながら、従来は、電気掃除機を運転すると、ゴミ袋内のゴミの臭いが、同ゴミ袋内を通過する吸引風とともに、電気掃除機本体の後部の排気口から排気されるので、運転中決して気持ちの良いものではなかった。
【０００５】
本発明は上記課題を解決するもので、爽快な気分で掃除作業ができる電気掃除機を提供することを目的とするものである。
【０００６】
【課題を解決するための手段】
上記の目的を達成するために本発明は、吸引風を発する電動送風機を内蔵した本体と、塵埃を捕集する集塵部と、空気中の酸素の濃度を高める酸素富化手段とを備えたもので、掃除中に空気が汚れがちになるが、その際に酸素濃度の高い空気が放出されることで、快適に掃除ができる。
【０００７】
【発明の実施の形態】
本発明の請求項１記載の発明は、吸引風を発する電動送風機を内蔵した本体と、塵埃を捕集する集塵部と、空気中の酸素の濃度を高める酸素富化手段とを備えたもので、掃除中に空気が汚れがちになるが、その際に酸素濃度の高い空気が放出されることで、快適に掃除ができる。
【０００８】
請求項２記載の発明は、酸素富化手段の下流側を負圧して前記酸素富化手段に外気を通過させるようにしたもので、酸素富化手段の上流側を高い正圧にするのに較べ気密構造が簡略化されるので、組みたて容易でしかも安価にできる。
【０００９】
請求項３記載の発明は、酸素富化手段の下流側と電動送風機の吸引側とを連通させて、酸素富化手段の下流側を負圧にするようにしたもので、塵埃吸引用の電動送風機を、酸素富化手段の下流側を負圧にする手段に兼用することで、組みたて容易でしかも安価にできる。
【００１０】
請求項４記載の発明は、酸素富化手段で得られた酸素富化空気を使用者に供給する供給手段を備えたもので、酸素濃度の高い酸素富化空気を直接使用者が吸えることにより、より快適に掃除作業ができる。
【００１１】
請求項５記載の発明は、供給手段は、酸素富化空気を吐出する吐出口と、前記酸素富化手段を介して酸素富化空気を取り出し前記吐出口に送り出す吐出手段と、前記酸素富化手段と前記吐出手段と連通する連結体とで形成され、酸素富化空気を吐出する吐出口の開口面積を前記連結体の断面積より小さくしたもので、酸素濃度の高くかつ流速の大きい酸素富化空気を直接使用者が吸うことができ、より快適に掃除作業ができる。
【００１２】
請求項６記載の発明は、供給手段は、酸素富化空気を吐出する吐出口と、本体に内蔵され酸素富化手段を介して酸素富化空気を取り出し前記吐出口に送り出す吐出手段と、前記吐出口と前記吐出手段と連通する連結体とで形成され、前記連結体の一部を本体外郭表面近傍で着脱自在にしたもので、酸素富化手段が、本体に内蔵されているので、本体から吐出口までの部分がシンプルになるとともに、掃除作業後の連結体の後始末が容易になる。
【００１３】
請求項７記載の発明は、供給手段は、酸素富化空気を吐出する吐出口と、本体外に位置し酸素富化手段を介して酸素富化空気を取り出し前記吐出口に送り出す吐出手段と、前記酸素富化手段と前記吐出手段と連通する連結体とで形成され、前記連結体の一部を本体外郭表面近傍で着脱自在にしたもので、酸素富化手段が本体外なので本体が小型化できる一方、酸素富化手段が付いた連結体はかさばるが、本体外郭表面近傍で取り外せるので、後始末が容易になる。
【００１４】
請求項８記載の発明は、集塵部に連通するとともにホースの一端が接続される吸入口と、前記ホースの他端に取着された手元部と、前記手元部に一端が着脱自在に接続される延長管と、前記延長管の他端に接続されるとともに被掃除面の塵埃を吸引する吸込具とを備えたもので、請求項１記載の発明同様、快適に掃除ができる。
【００１５】
請求項９記載の発明は、本体を使用者に装着する装着手段を備えたもので、携帯型電気掃除機等を使用する場合、装着手段を備えたことで、酸素富化空気を使用者に供給する供給通路が短く構成できるので圧損が少なく、また掃除作業中にそれが邪魔になることも無い。
【００１６】
請求項１０記載の発明は、本体の下部に傾動自在に取着され、被掃除面の塵埃を吸引する吸込具を備えたもので、縦型電気掃除機による掃除も快適にできるとともに、本体を酸素富化手段の収納部に兼用することで安価に構成することができる。
【００１７】
請求項１１記載の発明は、酸素富化手段を手元部に内蔵したもので、酸素富化空気を使用者に供給する供給通路が短く構成できるので圧損が少なく、又掃除作業中にそれが邪魔になることが無い。
【００１８】
請求項１２記載の発明は、酸素富化手段を吸込具に内蔵したもので、酸素富化空気を使用者に供給する際に、供給通路を剛性のある延長管に固定できるので、掃除作業中に供給通路が邪魔になることが無い。また、吸込具内のデッドスペースの有効活用ができる。
【００１９】
請求項１３記載の発明は、酸素富化手段を本体に内蔵したもので、掃除機本体を酸素富化手段の収納部に兼用できるので安価に構成することができる。
【００２０】
【実施例】
以下、図面を用いながら、本発明の実施例について説明する。
【００２１】
（実施例１）
以下、本発明の第１の実施例について図１〜図６を用いて説明する。なお従来例と同一部品については同一名称、同一符号を付してその説明を省略する。
【００２２】
図１は、本発明の第１の実施例を示す電気掃除機の全体を示すもので、１は、電気掃除機の本体で、その外郭２は、本体１の下部を形成する本体下３と、本体下３の後方略半分を覆う本体上４と、本体下３の前部に配された集塵部５を開閉自在に覆う蓋体５ａから構成されている。集塵部５には、取り外し自在で吸引された塵埃を捕集するゴミ袋５ｂが内蔵されている。６は、本体１の走行用の一対の車輪で、本体下３の左右の側面に回転自在に軸支されている。
【００２３】
８は、集塵部５に連通するとともに、ホース９の一端が着脱自在に接続される吸入口で、１０は、ホース９の他端に回動自在に取り付けらた先端パイプで、上方後部に把手１０ａ、上面に操作部１０ｂが設けられている。１１は、延長管で、その一端は、先端パイプ１０の反ホース９側端部に接続され、他端は、吸込具１２の後方略中央部に傾動自在に取着された接続パイプ１３に接続される。１２ａは、吸込具１２の下方に開口した吸込口で、接続パイプ１３に連通している。１４は、後述のポンプ２０と、使用者の頭に装着するヘッドセット２１に設けた吐出口２２とを連通させるための管状の連結管Ａでシリコーン、プロエチレン、ナイロンなどの可撓性に優れた材料からなるとともに、図１に示されるように本体１、ホース９、先端パイプ１０のそれぞれに沿わせるように、保持体２３で保持されている。
【００２４】
図２は、本体下３の斜視図で、本体下３の前部と後部は隔壁２４で仕切られ、前部に集塵部５が形成されている。本体下３の後部は更に隔壁Ａ２５で二分割され、一方は電動送風機２５を内蔵する電動送風機室２６、他方は、後述の酸素富化手段２７とポンプ２０を収納する収納室２８となっている。２９は、隔壁２４に形成されるとともに集塵部５と電動送風機２５の吸引側とを連通する吸入格子である。電動送風機室２６と収納室２８のそれぞれの上方開口縁３１は、本体上４で覆われている。
【００２５】
次に酸素富化手段２７と吐出手段であるポンプ２０について、図３を用いて詳細に述べる。
【００２６】
酸素富化手段２７は、酸素の濃度を高めた空気、いわゆる酸素富化空気を発生させるもので、有機高分子の平膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施例の酸素富化手段２７を通過後の酸素富化空気においては、酸素が占める割合が約３０％（窒素約７０％）となる。酸素富化手段２７は、図３（ａ）に示されるような略長方形状の酸素富化モジュール３２を、同３図（ｂ）、（ｃ）に示すように複数枚積層した略直方体のユニット構造となっている。酸素富化モジュール３２は、メッシュ構造のフレーム３３の両側面に略長方形の酸素富化膜３４を貼って両膜間を空気の通路とし、それは、排出口３５に連通している。排出口３５を介して、フレーム３３の通路内をポンプ２０で吸引することにより、酸素富化膜３４の周辺を流れる空気の一部が酸素富化膜３４を通過してフレーム３３の通路内に入りこみ、酸素富化空気が得られる。
【００２７】
図４は、収納室２８内での酸素富化手段２７と吐出手段であるポンプ２０の収納状態を示すもので、酸素富化手段２７は、その長手方向と本体１の前後方向とが一致するように収納室２８に配され、さらに排出口３５は、ポンプ２０の吸引側に接続されている。３６は、本体下３の側壁に設けた吸入口Ａ３７より外気を取り入れ、酸素富化手段２７の周囲に新鮮な外気を供給し、排出口Ａ３８から排出するためのファンである。ポンプ２０は、排出口３５から吸引した酸素富化空気を、連結管２０ａを介して本体１の側面に設けられた吐出口部３９に送り、さらにその吐出口部３９に着脱自在に接続される連結管Ａ１４を介して吐出口２２に送り込んでいる。また、ポンプ２０には、酸素富化膜３４での通過圧損に対抗して酸素富化空気の流量を稼ぐために運転時の圧力が高いベローズ吐出手段が用いられている。
【００２８】
次に、図５を用いて、酸素富化空気を使用者に供給する供給手段となるヘッドセット２１について説明する。
【００２９】
ヘッドセット２１は、使用者の耳に当てる耳当て部左２１ａ、耳当て部右２１ｂと、耳当て部左、右２１ａ、２１ｂを連結するヘッドバンド２１ｃと、酸素富化空気を吐出する吐出口２２と、耳当て部左２１ａの下部２１ｄに設けられた略Ｕ字状で下方に開口した管体２１ｅと、管体２１ｅの一方の端部に着脱自在に接続されるとともに、吐出口２２と連通する連結管Ｂ２１ｆを備えている。連結管Ｂ２１ｆは、屈曲自在で且つその曲げた状態が維持できるような材料、又は構成を備えると良い。また、管体２１ｅの他端には、連結管Ａ１４が着脱自在に接続されている。さらに、前記吐出口２２より吐出する酸素富化空気の吐出流速を高めるために、酸素富化空気を吐出する吐出口２２の開口面積は、連結管Ａ１４の断面積よりも小さく形成されている。図６は、本実施例の電気掃除機の電気的構成を示すブロック図である。
【００３０】
次に上記構成に基づく本実施例の動作を説明する。
【００３１】
電気掃除機を使用するにあたり、使用者は、ヘッドセット２１を頭に付け、耳当て部左、右２１ａ、２１ｂのそれぞれを、左耳、右耳に当てて、ヘッドセット２１を固定し、連結管Ｂ２１ｆの曲げ角度を調整して、吐出口２２が使用者の口元の近くに位置するように調整する。
【００３２】
次に、ホース９の先端に取り付けられた先端パイプ１０の把手１０ａを握り、操作部１０ｂに設けたスイッチ（図示せず）を操作して、電動送風機２５、ポンプ２０、ファン３６の運転を開始する。電動送風機２５の運転に伴い、被掃除面の塵埃は吸込具１２の吸込口１２ａから吸引され、接続パイプ１３、延長管１１、吸入口８を経て、ゴミ袋７に至り捕集される。
【００３３】
一方、ファン３６の運転により、外気は、本体下３に設けた吸入口Ａ３７より流入し、酸素富化手段２７を構成する複数の酸化富化モジュール３２の各酸素富化膜３４の周囲を通過しながら排出口Ａ３８より排出される。その間、ポンプ２０の運転により、酸素富化膜３４より空気中の酸素が優先的に流入して、酸素富化空気が得られる。得られた酸素富化空気は、同ポンプ２０の押し出す力で、連結管２０ａ、吐出口部３９、連結管Ａ１４、管体２１ｅ、連結管Ｂ２１ｆを経て送られ、最終的に吐出口２２より使用者の口元に、酸素濃度の高い空気が吐出される。
【００３４】
このように本実施例によれば、とかく空気が汚れがちな掃除作業時に濃度の高い酸素を吸う事ができるので、爽快な気分で、しかも楽しく掃除を行うことができる。なお、本実施例においては、連結管Ａ１４を吐出口部３９に差込み、使用者の口元に吐出口２２より、酸素濃度の高い空気が吐出される場合について述べたが、連結管Ａ１４を吐出口部３９に差込まず、前記吐出口部３９より直接室内（大気中）に、酸素濃度の高い空気を放出しても、爽快な気分で、しかも楽しく掃除を行うことができる。
【００３５】
また、本実施例では、本体１の外郭表面に吐出口部３９を配し、それに連結管Ａ１４を着脱自在にしたので、掃除終了後の連結管Ａ１４の清掃、後片付が容易で、しかも連結管Ａ１４を外すと本体１に管類が付属していないので、本体１の片付けも容易になるものである。
【００３６】
また、本実施例では、酸素富化手段２７を本体１に内蔵したので、酸素富化手段２７専用の外郭（ケース）が不用になり、安価な電気掃除機を提供する事ができる。
【００３７】
また、酸素富化手段７から酸素富化空気を得る手段として、酸素富化手段７の上流側を加圧する方法も考えられるが、その場合は、上流側に信頼性の高い気密構造が必要となる。一方、本実施例では、下流側を負圧にするので、上流側を加圧するのに較べ気密構造を簡素化できるメリットがある。
【００３８】
なお、上記実施例では、特に記載しなかったが、酸素富化空気が通る通路の途中に、塵埃、細菌を捕らえるフイルター（図示せず）、酸素富化空気に混入する水分を捕集する水分吸収剤や、液だまり部を設けるようにすれば、衛生的である。
【００３９】
（実施例２）
次に、本発明の第２の実施例について図７を用いて説明する。なお上記第１の実施例と同一部品については同一名称、同一符号を付してその説明を省略する。
【００４０】
上記第１の実施例では、酸素富化手段２７の下流側にポンプ２０を接続して、負圧にして酸素負化空気を吸引したが、本実施例では、電動送風機２５の負圧を利用して酸素富化空気を得るようにしたものである。
【００４１】
図７において、４１は、隔壁２４の一部に設けた連通部で、連結管Ｃ５２を介して酸素富化手段２７の排出口３５と連通している。
【００４２】
上記構成により、本体１の運転を開始すると、電動送風機２５により集塵部７内に負圧が作用し、吸込具１２より塵埃が吸引されるが、同時に、隔壁２４の一部に設けた連通部４１にも負圧が作用するので、連結管Ｃ４２を介して排出口３５から酸素富化空気が吸引され、それが一旦集塵部５に入り、吸入格子２９に回りこみ、電動送風機２５により吸引され、電動送風機２５の排気風となって電動送風機室内に放出され、最終的に本体１の後部壁４３に設けた排気格子４４から外部に排気される。
【００４３】
このように本実施例によれば、塵埃吸引用の電動送風機２５を酸素富化手段２７の下流側を負圧にする手段として兼用できるので、組み立てが容易でしかも安価に構成できるという効果がある。
【００４４】
（実施例３）
次に、本発明の第３の実施例について図８を用いて説明する。なお上記第１の実施例と同一部品については同一名称、同一符号を付してその説明を省略する。
【００４５】
上記第１の実施例では、酸素富化手段２７より酸素富化空気を吸引するポンプ２０を本体１に内蔵したが、本実施例では、それを本体１の外に配したものである。
【００４６】
図８において、４５は、本体１とヘッドセット２１との間に介在させた酸素富化空気の吸引用の吐出手段Ａで、その吐出手段Ａ４５の下流側は連結管Ｄ４６で管体２１ｅとで連結され、吐出手段Ａ４５の上流側は、連結管Ｅ４７で直接酸素富化手段２７の排出口３５と連結されている。４８は、フィン４８ａを回転駆動するモーターで、４９は、前記モーター４８に給電する給電線で、本体１に内蔵された制御回路（図示せず）に電気的に接続されている。
【００４７】
上記構成により、先端パイプ１０の操作部１０ｂを操作して、モーター４８の運転を開始すると、酸素富化手段２７から酸素富化空気が吸引され、それが吐出口２２に送られ、第１の実施例同様、使用者は掃除作業中に酸素濃度の高い空気を吸うことができる。
【００４８】
以上のように、本実施例によれば、酸素富化空気を吸引する吐出手段が外付けになるので、本体１が小型化できるとともに、吐出手段のメンテが容易になるものである。
【００４９】
（実施例４）
次に、本発明の第４の実施例について図９を用いて説明する。上記第１の実施例では、酸素富化手段２７を本体１に内蔵したのに対し、本実施例では、酸素富化手段２７を先端パイプ１０に内蔵した点で異なる。なお、上記第１の実施例と同一部品については同一名称、同一符号を付してその説明を省略する。
【００５０】
図９に示されるように、先端パイプ１０には、酸素富化手段２７およびポンプ２０が内蔵され、５０は、先端パイプ１０の外郭に設けられ、外気と先端パイプ１０内部と連通する開口部である。
【００５１】
ポンプ２０の下流側とヘッドセット２１とは連結管Ｆ５１で連結されている。
【００５２】
上記構成により、ポンプ２０が駆動すると、酸素富化手段２７に負圧が作用して酸素富化空気が得られ、それが連結管Ｆ５１を経てヘッドセット２１に設けた吐出口２２に送られる。また、酸素富化手段２７に負圧が作用している間は、外気が開口部５０から随時吸引されるので、酸素富化空気を連続して得ることができる。
【００５３】
また、本実施例によれば、酸素富化手段２７から吐出口２２までの距離が短くなり、第１の実施例で述べたようなホース９に沿わせる長い連結管が不用になるので、酸素富化空気を送る時の圧損を大幅に低減できるとともに、ホース９の引き回し時に連結管が邪魔になることも無い。
【００５４】
（実施例５）
次に、本発明の第５の実施例について図１０を用いて説明する。上記実施例と同一部品については同一名称、同一符号を付してその説明を省略する。
【００５５】
本実施例では、酸素富化手段２７を吸込具１２に内蔵したものである。
【００５６】
図に示すように、酸素富化手段２７、ポンプ２０は吸込具１２内に内蔵され、ポンプ２０の下流側は、延長管１１にバンド５２で保持された連結管Ｇ５３を介してヘッドセット２１に連通している。
【００５７】
５４は、酸素富化手段２７の上方に位置する吸込具１２の外郭に設けた開口部Ｂで、ポンプ２０が動作している間に、外気がこの開口部Ｂより流入し酸素富化手段２７に至るようにしている。
【００５８】
上記構成により、ポンプ２０が駆動すると、酸素富化手段２７に負圧が作用して酸素富化空気が得られ、それが連結管Ｇ５３を経てヘッドセット２１に設けた吐出口２２に送られる。また、酸素富化手段２７に負圧が作用している間は、外気が開口部Ｂ５４から吸引されるので、酸素富化空気を連続して得ることができる。
【００５９】
以上のように、本実施例によれば、連結管Ｇ５３が、剛性のある延長管１１に沿わせて保持されることにより、掃除作業中に連結管Ｇ５３に加わるストレスが小さく、さらに、連結管Ｇ５３がバンド５２で保持される部分が、把手１０ａを握る手より前側になるので、連結管Ｇ５３に足が引っ掛かることが無くなり、破損し難くなる。
【００６０】
（実施例６）
次に、本発明の第６の実施例について図１１を用いて説明する。上記実施例と同一部品については同一名称、同一符号を付してその説明を省略する。
【００６１】
５５は、携帯型電気掃除機の本体で、後方には電動送風機５６とともに、酸素富化手段２７、ポンプ２０が内蔵され、前部には集塵部５７が配されている。５８は、本体５５を使用者の体に装着する装着手段で、本実施例では、肩に掛けられるようにバンド状に形成されている。５９は、ポンプ２０とヘッドセット２１とを連結する連結管Ｈで、その途中は、止め具６０で、装着手段５８に保持されている。
【００６２】
上記構成により、携帯型電気掃除機５５のスイッチ（図示せず）で、運転を開始すると、電動送風機５６の運転とともに、ポンプ２０が稼働し、酸素富化空気が連結管Ｈ５９を通して、吐出口２２に送られる。
【００６３】
以上のように、本実施例によれば、本体１が体に装着されるタイプなので、第１の実施例で記載したキャニスター型掃除機（床移動型）に較べ、本体１と吐出口２２との距離が接近するので、連結管Ｈ５９の長さが短くて済み、酸素富化空気を送出するときの空気圧損を小さくすることができる。また、連結管Ｈ５９が装着手段５８に止め具６０で保持されているので、連結管Ｈ５９が不用意に操作中の把手１０ａに引っ掛かることもない。さらに、本体５５を身に装着するようにしているので、酸素富化手段２７、ポンプ２０を内蔵することで、本体５５が多少重くなっても、手に加わる負担は変わらないので、使用勝手は変わらないものである。
【００６４】
（実施例７）
次に、本発明の第７の実施例について図１２を用いて説明する。上記実施例と同一部品については同一名称、同一符号を付してその説明を省略する。
【００６５】
図１２は、酸素富化手段を搭載した縦型電気掃除機を示すもので、本体６１の下部に、下方開口の吸込口６２を有する吸込具６３が傾動自在に軸支されている。本体６１の上部には集塵部６４が配され、下方には電動送風機６５を内蔵する電動送風機室６５ａと、酸素富化手段２７とポンプ２０を内蔵する収納室６６が併設され、互いに図示しない壁で仕切られている。６５ｂは、電動送風機６５の排気を排出する排気孔で、６６ａは、外気取り入れ用の開口部Ｃで、収納室６６に連通している。６７は、本体６１の上端に取り付けられたハンドルで、先端に握り部６７ａが設けられている。６８は、連結管Ｉで、一端はポンプ２０の出力側に、他端は、ヘッドセット２１に接続され、ぶらぶらしないように、止め具６０で、一部がハンドル６７に取着されている。
【００６６】
上記構成により、本体６１のスイッチ６１ａを操作して、運転を開始すると、電動送風機６５の運転とともに、ポンプ２０が稼働し、酸素富化空気が連結管Ｉ６８を通して、吐出口２２に送られる。ポンプ２０が稼働している間は、ポンプ２０による吸引力により開口部Ｃ６６ａより外気が導入するので、酸素富化空気が連続して得られる。
【００６７】
以上のように、本実施例によれば、縦型電気掃除機でも、酸素濃度の高い空気を吸いながら掃除をすることができるものである。また、縦型電気掃除機で掃除をするときは、本体６１を傾けて使用するが、本実施例では、酸素富化手段２７、ポンプ２０が本体６１の下部に配されているので、酸素富化手段２７とポンプ２０の握り部６７ａに加わる重量負担は少ないので、本体６１の被掃除面での操作に支障をきたすことも無い。
【００６８】
（実施例８）
次に、本発明の第８の実施例について図１３を用いて説明する。上記実施例と同一部品については同一名称、同一符号を付してその説明を省略する。
【００６９】
縦型電気掃除機において、第７の実施例では、酸素富化手段２７を本体６１に内蔵したのに対し、本実施例は、酸素富化手段２７を吸込具６３に内蔵したものである。
【００７０】
図において、吸込具６３には、酸素富化手段２７、ポンプ２０が内蔵されるとともに、吸込具６３の外郭の一部で酸素富化手段２７の上方に位置する部分には、開口部Ｄ６９が設けられ、ポンプ２０の出力側とヘッドセット２１とは連結管Ｊ７０で連結され、それがぶらぶらしないように、止め具６０で、一部がハンドル６７に取着されている。
【００７１】
上記構成により、本体６１のスイッチ６１ａを操作して、運転を開始すると、電動送風機６５の運転とともに、ポンプ２０が稼働し、酸素富化空気が連結管Ｊ７０を通して、吐出口２２に送られる。ポンプ２０が稼働している間は、吐出手段による吸引力により開口部Ｄ６９より外気が導入するので、酸素富化空気が連続して得られる。
【００７２】
以上のように、本実施例によれば、縦型電気掃除機の中でも比較的デッドスペースが多い吸込具６３に酸素富化手段２７とポンプ２０を内蔵することで、電気掃除機全体を大型化することなく、また、使用勝手も悪くすることもない。
【００７３】
【発明の効果】
以上のように、本発明によれば、リフレッシュしながら、しかも爽快な気分で楽しく掃除ができる電気掃除機を提供することができるものである。
【図面の簡単な説明】
【図１】本発明の第１の実施例を示す電気掃除機の全体斜視図
【図２】同電気掃除機の本体の本体下の斜視図
【図３】（ａ）同電気掃除機の酸素富化手段の酸素富化モジュールの分解図
（ｂ）複数の酸素富化モジュールの斜視図
（ｃ）同酸素富化手段の斜視図
【図４】（ａ）図２の部分Ａ−Ａ断面図
（ｂ）図２の部分Ｂ−Ｂ断面図
【図５】同電気掃除機のヘッドセットの斜視図
【図６】同電気掃除機の電気的構成を示すブロック図
【図７】本発明の第２の実施例を示す電気掃除機の部分平面図
【図８】本発明の第３の実施例を示す電気掃除機のヘッドセット／連結管の斜視図
【図９】本発明の第４の実施例を示す電気掃除機の先端パイプの斜視図
【図１０】（ａ）本発明の第５の実施例を示す電気掃除機の吸込具の斜視図
（ｂ）同電気掃除機の全体斜視図
【図１１】本発明の第６の実施例を示す電気掃除機の側面図
【図１２】本発明の第７の実施例を示す電気掃除機の全体斜視図
【図１３】本発明の第８の実施例を示す電気掃除機の全体斜視図
【符号の説明】
１    本体
２    外郭
５    集塵部
９    ホース
１２  吸込具
１４  連結管Ａ（連結体）
２０  吐出手段
２１  ヘッドセット（供給手段）
２１ｆ  連結管Ｂ（連結体）
２２  吐出口
２５  電動送風機
２７  酸素富化手段
５９  吐出口部
４２  連結管Ｃ（連結体）
４６  連結管Ｄ（連結体）
４７  連結管Ｅ（連結体）
５１  連結管Ｆ（連結体）
５３  連結管Ｇ（連結体）
５９  連結管Ｈ（連結体）
６８  連結管Ｉ（連結体）
７０  連結管Ｊ（連結体）
【図１】
2004313236.tif 000003
【図２】
2004313236.tif 000004
【図３】
2004313236.tif 000005
【図４】
2004313236.tif 000006
【図５】
2004313236.tif 000007
【図６】
2004313236.tif 000008
【図７】
2004313236.tif 000009
【図８】
2004313236.tif 000010
【図９】
2004313236.tif 000011
【図１０】
2004313236.tif 000012
【図１１】
2004313236.tif 000013
【図１２】
2004313236.tif 000014
【図１３】
2004313236.tif 000015